(57)【要約】      （修正有）【課題】引戸を閉じたときに、引戸が閉鎖していることを容易に確認できる引戸のラッチ装置を提供すること。【解決手段】什器の収納部の前面側に配置されたレール２２によって摺動案内される引戸１４のラッチ装置であって、このレール２２の端部近傍に切欠部３５を有し、付勢手段４６によってこのレール２２側に付勢される係合部材３８が引戸１４の端部近傍に備えられており、引戸１４が閉鎖されたときに、係合部材３８が切欠部３５に係合したことを検知する検知スイッチ３６を切欠部３５に設けることでラッチ装置を構成する。【選択図】図６
2005146754.tif 000002
【特許請求の範囲】
【請求項１】
什器の収納部の前面側に配置されたレールと、このレールによって摺動案内される引戸と、付勢手段によってレール側に付勢される前記引戸の端部近傍に備えられた係合部材とを有し、前記引戸が閉鎖されたときに、前記係合部材が前記レールの端部近傍に設けた切欠部に係合する引戸のラッチ装置であって、前記切欠部には係合部材が切欠部に係合したことを検知する検知スイッチが設けられていることを特徴とする引戸のラッチ装置。
【請求項２】
少なくとも前記切欠部を隠蔽する隠蔽部が前記レールの前面側に設けられている請求項１に記載の引戸のラッチ装置。
【請求項３】
前記レールが配置される棚部材は、縦断面視略コ字形状に屈曲される金属製の板体で形成されており、前記棚部材の内部に検出スイッチの少なくとも一部が配置されている請求項１または２に記載の引戸のラッチ装置。
【請求項４】
前記什器は、電子錠を有し、前記検知スイッチが検知したときに、前記電子錠が施錠され、前記引戸の閉鎖が維持される請求項１ないし３のいずれかに記載の引戸のラッチ装置。
【請求項５】
前記収納部には、該収納部に収納される物品に取り付けられたＲＦＩＤタグに記録された物品情報を読み出す読出装置が設けられており、前記検知スイッチが検知したときに、前記読出装置の電源が切られる請求項１ないし４のいずれかに記載の引戸のラッチ装置。
【発明の詳細な説明】
【技術分野】
【０００１】
本発明は、什器などの前面に取り付けられる引戸のラッチ装置に関する。
【背景技術】
【０００２】
什器などの収納部の前面側に設けられている引戸には、引戸が閉鎖しているときに、引戸が不用意に開放されることを防ぐためにラッチ装置を設けることは一般に行われており、従来の引戸のラッチ装置としては、引戸が摺動案内されるレールの端部に切欠部を設け、ばねにより付勢された係合爪を切欠部に係合させることで引戸の閉鎖を維持しているものがある（例えば、特許文献１参照）。
【０００３】
【特許文献１】特開平８−１９３４４８号公報（第２頁、第３図）
【発明の開示】
【発明が解決しようとする課題】
【０００４】
しかしながら、特許文献１にあっては、引戸が閉じられたときに、係合爪がレールの端部に移動して切欠部に係合されるため、引戸の閉鎖が不完全のときにおいては、係合爪が切欠部に係合できずに引戸が不用意に開放されることがあり、この場合に引戸が完全に閉鎖していることを確認するためには、再び引戸を開放方向に移動させてみる必要がある。
【０００５】
本発明は、このような問題点に着目してなされたもので、引戸を閉じたときに、引戸が閉鎖していることを容易に確認できる引戸のラッチ装置を提供することを目的とする。
【課題を解決するための手段】
【０００６】
上記課題を解決するために、本発明の請求項１に記載の引戸のラッチ装置は、什器の収納部の前面側に配置されたレールと、このレールによって摺動案内される引戸と、付勢手段によってレール側に付勢される前記引戸の端部近傍に備えられた係合部材とを有し、前記引戸が閉鎖されたときに、前記係合部材が前記レールの端部近傍に設けた切欠部に係合する引戸のラッチ装置であって、前記切欠部には係合部材が切欠部に係合したことを検知する検知スイッチが設けられていることを特徴としている。
この特徴によれば、付勢手段によって付勢された係合部材が切欠部に係合することで、引戸の閉鎖が維持できるとともに、検知スイッチが切欠部に設けられていることによって、係合部材が切欠部に係合されたことを検知できるので、引戸が閉鎖されたことを容易に確認できる。また、ラッチ装置を構成しているレール端に設けられた切欠部を利用することで、従来の引戸のラッチ機構を変更することなく容易に検知スイッチを設けることができる。
【０００７】
本発明の請求項２に記載のラッチ装置は、請求項１に記載のラッチ装置であって、少なくとも前記切欠部を隠蔽する隠蔽部が前記レールの前面側に設けられていることを特徴としている。
この特徴によれば、切欠部が隠蔽部により隠蔽されるので、切欠部が什器の前面側から見えなくなり、什器の美観が向上する。
【０００８】
本発明の請求項３に記載のラッチ装置は、請求項１または２に記載のラッチ装置であって、前記レールが配置される棚部材は、縦断面視略コ字形状に屈曲される金属製の板体で形成されており、前記棚部材の内部に検出スイッチの少なくとも一部が配置されていることを特徴としている。
この特徴によれば、金属製の板体を略コ字形状に屈曲させるだけで、棚部材内部に空間が確保されるので、容易に検出スイッチを棚部材の内部に配置できるようになる。
【０００９】
本発明の請求項４に記載のラッチ装置は、請求項１ないし３のいずれかに記載のラッチ装置であって、前記什器は、電子錠を有し、前記検知スイッチが検知したときに、前記電子錠が施錠され、前記引戸の閉鎖が維持されることを特徴としている。
この特徴によれば、引戸の係合部材が切欠部に係合されたときに、電子錠が施錠されるので、引戸の閉鎖が不完全のときに、不用意に電子錠が施錠されることがなくなる。
【００１０】
本発明の請求項５に記載のラッチ装置は、請求項１ないし４のいずれかに記載のラッチ装置であって、前記収納部には、該収納部に収納される物品に取り付けられたＲＦＩＤタグに記録された物品情報を読み出す読出装置が設けられており、前記検知スイッチが検知したときに、前記読出装置の電源が切られることを特徴としている。
この特徴によれば、収納部に収納される物品をＲＦＩＤタグによって、管理できるとともに、検知スイッチによって引戸の閉鎖が検知されたときに、読出装置の電源が切られることで、読出装置に使用される電力が節約できるようになる。
【発明を実施するための最良の形態】
【００１１】
本発明の実施例を以下に説明する。
【実施例】
【００１２】
本発明の実施例を図面に基づいて説明すると、先ず図１は、本発明の実施例におけるラッチ装置が備えられた什器１が適用された物品管理システムの構成を示す図である。
【００１３】
図１に示されるように、物品７が収納される什器１は複数設置（本実施例では３台設置）されていて、これら什器１は通信ケーブル２を介して中継装置１１に接続されており、中継装置１１は通信ケーブル２を介して什器アンテナ１０に接続されている。
【００１４】
物品管理システムの管理や運用を行う管理コンピュータ３と、この管理コンピュータ３のデータ入出力やデータ表示を行う入力端末４とが、ＬＡＮケーブル８を介して（本実施例ではＬＡＮを介して）相互接続されるとともに、通信ケーブル２を介して管理アンテナ９に接続されている。
【００１５】
一方、入力端末４は通信ケーブル２を介して、物品７に貼付または利用者認証カード６に内蔵されるＲＦＩＤタグからの電磁波を受信可能なＲＦＩＤリーダ／ライタ５に接続されている。什器アンテナ１０と管理アンテナ９とは、無線によって相互接続されており、種々のデータの送受信が行えるようになっている。
【００１６】
什器１はラテラル２００の上部に書庫１００を載置した構成となっており、書庫１００には上棚収納部１０１と下棚収納部１０２が形成され、ラテラル２００には引き出し２０１、２０２、２０３、２０４が備えられていて、これらの収納部にファイルやカルテ等の書類を収納するファイルケースや書籍等の物品７が収納されている。什器１に収納されるファイルケースや書籍等の物品７には、個々にＲＦＩＤタグ（図示略）が貼付されている。
【００１７】
尚、物品７とは、識別可能な物の単位（例えば、箱、書籍等）であり、ＲＦＩＤ（Ｒａｄｉｏ  Ｆｒｅｑｕｅｎｃｙ  ＩＤｅｎｔｉｆｉｃａｔｉｏｎ、無線による識別）タグとは、ＩＣチップ（図示略）と、このＩＣチップに記憶された物品情報を送受信可能な無線アンテナ（図示略）と、から構成されている。
【００１８】
書庫１００の上棚収納部１０１や下棚収納部１０２には、本発明の読出装置を構成するＲＦＩＤアンテナ（図示略）が配設されており、ＲＦＩＤタグ（図示略）から発信される電磁波を受信可能になっている。このＲＦＩＤアンテナは、上棚収納部１０１や下棚収納部１０２内部の側面や背面などに設けられていて、上棚収納部１０１や下棚収納部１０２内部のそれぞれに収納される物品７に取り付けられたＲＦＩＤタグに記憶されている物品情報を電磁波を介して読み出すことができる。
【００１９】
そして、ＲＦＩＤアンテナは通信ケーブル２、中継装置１１、什器アンテナ１０、管理アンテナ９を介して、管理コンピュータ３に接続されており、これら什器１に収納されるＲＦＩＤタグの物品情報のデータが管理コンピュータ３に送信されることで、管理コンピュータ３で複数の什器１に収納される物品７の管理を一元的に行えるようになっている。
【００２０】
また、書庫１００には、解錠ランプ１１５、施解錠装置１１７、スピーカ１１６、上棚指示ランプ１１１、下棚指示ランプ１１２が設けられており、前述のＲＦＩＤアンテナと同様に通信ケーブル２、中継装置１１、什器アンテナ１０、管理アンテナ９を介して、管理コンピュータ３に接続されており、管理コンピュータ３で一元的に什器１が制御されるようになっている。
【００２１】
図２は、什器１における書庫１００を示す正面図であり、この図２に示されるように、書庫１００は、ガラス扉１２、１３、１４が前面側（本実施例では、什器１に向かって手前側を前面とする）に設けられており、このガラス扉１２、１３、１４は左右方向に開閉可能な三連式の引戸構造になっている。ガラス扉１２、１３、１４の下部には横桟１５、１６、１７が設けられており、この左右の横桟１５、１７のそれぞれの左右端部には、手掛部１８、１９が設けられている。
【００２２】
正面下方には右側より、解錠ランプ１１５、施解錠装置１１７、スピーカ１１６が設けられている。施解錠装置１１７は、電気的な操作で施解錠を行う電動アクチュエータ（図示略）を有する電子錠であり、利用者が鍵を使用することで手動によって外部から施解錠させることができるとともに、管理コンピュータ３からの制御データに基づいて、ガラス扉１２、１３、１４の施解錠ができるようになっている。ガラス扉１２、１３、１４の解錠が行われると解錠ランプ１１５が点灯し、旋錠が行われると解錠ランプ１１５が消灯するようになっている。スピーカ１１６は解錠ランプ１１５の代替手段として設けられており、ブザーや音声等で解錠の報知ができるようになっている。
【００２３】
更に、図２に示されるように、書庫１００の収納部は中段の棚板２５によって、上棚収納部１０１と下棚収納部１０２とに区分されており、ＲＦＩＤタグが取り付けられた物品７を上棚収納部１０１または下棚収納部１０２に収納できるようになっている。中段の棚板２５には上棚指示ランプ１１１、下棚指示ランプ１１２が設けられており、管理コンピュータ３からの制御データに基づいて、ランプ１１１、１１２点灯及び消灯が制御されるようになっている。
【００２４】
そこで、本実施例の什器１が適用された物品管理システムの使用方法の一例である物品の貸出方法を説明すると、物品７の貸出しを希望する利用者によって、図１に示される入力端末４より所望の物品７がリストアップされ、貸出し予約が行われる。
【００２５】
管理コンピュータ３は入力端末４からの貸出し予約に基づいて、該当する物品７が収納される什器１の収納場所（本実施例においては書庫１００の下棚収納部１０２とする）を特定する。そして、管理コンピュータ３は特定された収納場所である書庫１００の施解錠装置１１７に解錠信号、解錠ランプ１１５と下棚指示ランプ１１２に点灯信号を送信する。
【００２６】
管理コンピュータ３からの解錠信号に基づいて施解錠装置１１７が解錠され、点灯信号に基づいて図２に示されるように、解錠ランプ１１５と下棚指示ランプ１１２が点灯される。そこで、解錠ランプ１１５の点灯を目印に物品７の収納場所まで利用者に移動してもらい、すでに解錠信号によって解錠されたガラス扉１２、１３、１４を利用者に開放してもらう。
【００２７】
下棚指示ランプ１１２が予め管理コンピュータ３からの点灯信号に基づいて点灯していることから、利用者に対して下棚収納部１０２に貸出し予約された物品７がある旨の報知がされている。利用者によって貸出し予約された物品７が下棚収納部１０２から取り出されると、下棚収納部１０２に配設されたＲＦＩＤアンテナが物品７に貼付されたＲＦＩＤタグからの電磁波が受信できなくなるので、管理コンピュータ３は物品７の貸出しが行われたと判断し、貸出し完了となる。
【００２８】
また、利用者が誤って貸出し予約した物品７とは違う物品７を下棚収納部１０２から取り出した場合や、下棚収納部１０２に貸出し予約した物品７とは違う他の物品７が収納された場合には、管理コンピュータ３から下棚指示ランプ１１２やスピーカ１１６、解錠ランプ１１５に対してエラー信号を送信し、ランプの点滅やブザーによる報知を行うことで、利用者や管理者にエラー報知を行うようになっている。
【００２９】
ガラス扉１２、１３、１４について詳述すると、図３の（ａ）は、ガラス扉１２、１３、１４が閉鎖されたときの什器の図２におけるＡ―Ａ線の横断面図であり、この図３に示されるように、３枚のガラス扉１２、１３、１４は、書庫１００の前面側に配置されている３本のレール２０、２１、２２上を摺動案内されるようになっている。
【００３０】
中央のガラス扉１３の後面側の右端部と、右側のガラス扉１４の後面側の右端部には、突起部２３、２４が設けられている。中央のガラス扉１３の後面側の左端部と、右側のガラス扉１４の後面側の左端部には、掛着部２７、２８が設けられており、この各掛着部２７、２８に掛着できるように、左側のガラス扉１２の前面側の右端部と、中央のガラス扉１３の前面側の右端部には、掛着部２９、３０が設けられている。
【００３１】
図３の（ｂ）は、ガラス扉１２、１３、１４が開放されたときの什器１の横断面図であり、この図に示されるように、左側のガラス扉１２を開放すると、左側のガラス扉１２の前面側の右端部と、中央のガラス扉１３の前面側の右端部に設けられている掛着部２９、３０が、中央のガラス扉１３の後面側の右端部と、右側のガラス扉１４の後面側の右端部に設けられている突起部２３、２４に当接するので、左側のガラス扉１２の移動に釣られて中央のガラス扉１３も開放位置に移動されるようになっている。
【００３２】
また、図３（ａ）に示したように、左側のガラス扉１２が閉鎖されたときには、左側のガラス扉１２の前面側の右端部と、中央のガラス扉１３の前面側の右端部に設けられている掛着部２９、３０が、中央のガラス扉１３の後面側の左端部と、右側のガラス扉１４の後面側の左端部に設けられた掛着部２７、２８に掛着されて中央のガラス扉１３も閉鎖位置に移動されるようになっている。
【００３３】
次に、本発明のラッチ装置について、図４から図６に基づいて説明すると、図４は、手掛部１９を示す正面図であり、図５は、図４におけるＢ−Ｂ線の縦断側面図であり、図６（ａ）は、ガラス扉１４を閉じるときのラッチ装置の縦断正面図であり、図６（ｂ）は、ガラス扉１４が閉鎖したときの縦断正面図である。左右両側に設けられた手掛部１８、１９のラッチ装置は同一構成なので、本実施例では右側の手掛部１９を例に説明する。
【００３４】
図４に示されるように、右側のガラス扉１４の下部に設けられている横桟１７の端部近傍には、ガラス扉１４を開放させるときに使用する手掛部１９が設けられていて、この手掛部１９には、前面側に突出された把持突起３１が形成されており、この把持突起３１に隣接する位置には、把持突起３１とほぼ同一形状をなすつまみ３２が設けられている。
【００３５】
そして、図６（ａ）に示されるように、横桟１７の内部には、書庫１００の棚部材としての下段の棚板２６に固定されたレール２２上を移動するローラ３３が設けられており、ローラ３３が横桟１７に設けられていることで、ガラス扉１４は、スムーズに開閉できるようになっている。
【００３６】
また、図６（ａ）に示されるように、レール２２の端部と書庫１００の側板３４の間は、所定間隔の間隙が設けられていて切欠部３５が形成されている。この切欠部３５には、検知スイッチ３６の押圧部３７が配置されており、この押圧部３７の上端はレール２２の上端より若干低くなるように配置されている。
【００３７】
そして、図５に示されるように、横桟１７内部の端部には、本発明の係合部材として構成されている板状のロックプレート３８が設けられており、このロックプレート３８は、横桟１７に前後両面を挟み込まれるように組み込まれている。また、ロックプレート３８には、横桟１７に形成されたピン軸３９が嵌合される嵌合孔４０が設けられており、この嵌合孔４０を中心に回動できるようになっている。
【００３８】
更に、図５に示されるように、書庫１００の下段の棚板２６は、金属製の板材が縦断面視で略コ字形状になるように屈曲されて形成されており、下段の棚板２６内部に空間が確保されていて、この下段の棚板２６内部の空間に検知スイッチ３６が配置されている。本発明の構成によれば、金属製の板材を屈曲させるだけで、容易に検知スイッチ３６が配置される空間を棚板２６内部に確保できるようになっている。
【００３９】
また、図５に示されるように、下段の棚板２６の上部に配置されている３本のレール２０、２１、２２は一体構造となっており、このレール２０、２１、２２の前面側からは、隠蔽部としての隠蔽片４１が立設されている。この隠蔽片４１は図３（ａ）（ｂ）に示されるように、レール２０、２１、２２に沿って設けられており、図４に示されるように、隠蔽片４１の側端部が書庫１００の側板３４に当接されていて、レール２２の端部に設けられている切欠部３５と検知スイッチ３６の押圧部３７を書庫１００の前面側から見えないように隠蔽させることができる。そのため、切欠部３５と検知スイッチ３６の押圧部３７が什器１の書庫１００の前面側から見えなくなるので什器１の美観が向上される。
【００４０】
尚、本実施例では、隠蔽部をレール２０、２１、２２から延設させた隠蔽片４１によって構成しているが、これに限ることなく、レール２０、２１、２２の前面側に切欠部３５と検知スイッチ３６の押圧部３７を隠蔽させる部材があれば、上記実施例と同様な効果を得ることが可能である。
【００４１】
更に、図４に示されるように、横桟１７の手掛部１９における把持突起３１に隣接する位置には、略弧状の長孔４２が開設されている。そして図５に示されるように、つまみ３２の後方に突設された装着部４３が長孔４２に挿通されており、装着部４３の先端が長孔４２を介してロックプレート３８の上方に形成されている取付孔４４に嵌着されることで、つまみ３２がロックプレート３８に連結されている。そのため、横桟１７の正面からロックプレート３８を回動操作できるようになっている。
【００４２】
ロックプレート３８について詳述すると、図６（ａ）に示されるように、ロックプレート３８の下部には、前述したレール２２の端末に設けられた切欠部３５に突入可能な係合爪４５が延設されている。ロックプレート３８の側部には、付勢手段としての捻りコイルばね４６が取り付けられており、ロックプレート３８は、捻りコイルばね４６によってロックプレート３８の係合爪４５を切欠部３５に突入させる向きに常時弾性付勢されている。ロックプレート３８の下方の位置には、ロックプレート３８の回動を係止する係止部４７が、横桟１７に固着されて設けられている。
【００４３】
更に、図６（ｂ）に示されるように、ガラス扉１４が閉鎖された状態においては、ロックプレート３８の係合爪４５がレール２２の端末に設けられている切欠部３５に係合されているので、ガラス扉１４の移動が阻止されている。図４に示されるように、把持突起３１とともにつまみ３２を掴むと、捻りコイルばね４６の弾発力に抗してロックプレート３８がピン軸３９を中心に回動し、係合爪４５が切欠部３５から外れてガラス扉１４を開放することができるようになっている。
【００４４】
ガラス扉１４が閉鎖されるときのラッチ装置について図６（ａ）及び図６（ｂ）を用いて詳述すると、図６（ａ）に示されるように、ロックプレート３８は、捻りコイルばね４６によってロックプレート３８の係合爪４５がレール２２側に付勢されているが、係合爪４５がレール２２上に乗り上げた状態では、そのまま抵抗なくガラス扉１４を開閉できるようになっている。
【００４５】
ガラス扉１４を閉鎖させるときは、レール２２上を摺動案内させながらガラス扉１４を閉鎖方向に移動させる。ガラス扉１４の側端部が書庫１００の側板３４に当接すると、図６（ｂ）に示されるように、ロックプレート３８の係合爪４５がレール２２の端部に設けられた切欠部３５に入り込んで検知スイッチ３６の押圧部３７を押圧する。すると検知スイッチ３６はガラス扉１４が閉鎖されたことを検知し、検知スイッチ３６から管理コンピュータ３に信号が送られる。また、係合爪４５が切欠部３５に係合されているので、ガラス扉１４の閉鎖が維持されるようになっている。
【００４６】
検知スイッチ３６から信号を受信した管理コンピュータ３は、左右両方のガラス扉１２、１４が閉鎖されていることを条件に、施解錠装置１１７の電動アクチュエータ（図示略）を作動させて施解錠装置１１７を施錠させる。施解錠装置１１７によって施錠されたガラス扉１４は、手掛部１９のつまみ３２を掴んでロックプレート３８の係合爪４５をレール２２の端部に設けられた切欠部３５から外しても開放できないようになる。ガラス扉１４の係合爪４５が切欠部３５に係合されたときに、施解錠装置１１７が施錠されるようになっているので、ガラス扉１４の閉鎖が不完全のときに、不用意に施解錠装置１１７が施錠されるようなことがなくなる。
【００４７】
尚、本実施例では検知スイッチ３６と施解錠装置１１７を、管理コンピュータ３を介して連係させていたが、本発明はこれに限定されるものではなく、検知スイッチ３６と施解錠装置１１７を直接連係させることで、検知スイッチ３６がガラス扉１４の閉鎖を検知したときに施解錠装置１１７を施錠させるようにしてもよい。
【００４８】
また、ガラス扉１２、１３、１４が開放されているときにおいて、書庫１００の内部に配設された読出装置としてのＲＦＩＤアンテナ（図示略）は、電磁波を放出し、物品７に貼り付けられたＲＦＩＤタグ（図示略）からの物品情報を読み出すようになっている。ガラス扉１２、１３、１４が開放されている状態では、書庫１００に収納されている物品７が取り出されたり、収納されたりするので、ガラス１２、１３、１４の開放中にＲＦＩＤアンテナを作動させることで、管理コンピュータ３は、書庫１００内の物品７の管理を一元的に行えるようになっている。
【００４９】
左右両方のガラス扉１２、１４が閉鎖されたことを検知した検知スイッチからの信号を受信した管理コンピュータ３は、書庫１００のＲＦＩＤアンテナ（図示略）に電力を供給している電源回路（図示略）を制御し、ＲＦＩＤアンテナに供給される電力が絶たれるようになっている。ガラス扉１２、１３、１４が閉鎖されているときは、書庫１００に収納される物品７の出し入れは行われないので、ガラス扉１２、１３、１４の閉鎖時にＲＦＩＤアンテナの電源を切ることで、ＲＦＩＤアンテナに使用される電力が節約できるようになっている。
【００５０】
尚、本実施例では検知スイッチ３６とＲＦＩＤアンテナ（図示略）を、管理コンピュータ３を介して連係させていたが、本発明はこれに限定されるものではなく、検知スイッチ３６とＲＦＩＤアンテナを直接連係させることで、検知スイッチ３６がガラス扉１４の閉鎖を検知したときにＲＦＩＤアンテナの電源を切るようにしてもよい。
【００５１】
尚、本実施例においては、検知スイッチがガラス扉の閉鎖を検知したときに、ＲＦＩＤアンテナ（図示略）の電源を切るような構成になっているが、これに限ることなく、検知スイッチがガラス扉の閉鎖を検知したときに、指示ランプ１１１、１１２の電源や解錠ランプ１１５やスピーカ１１６などの電源を切るような構成にしても上記実施例と同様な効果を得ることができる。
【００５２】
本発明の引戸のラッチ装置によれば、捻りコイルばね４６によって付勢されたロックプレート３８の係合爪４５が切欠部３５に係合することで、ガラス扉１４の閉鎖が維持できるとともに、検知スイッチ３６が切欠部３５に設けられていることによって、係合爪４５が切欠部３５に係合されたことを検知できるので、ガラス扉１４が完全に閉鎖されたことを容易に管理コンピュータ３が確認できるようになっている。
【００５３】
また、検知スイッチ３６の押圧部３７の上端がレール２２の上端より若干低くなるように配置されていることで、書庫１００に収納されている物品７を取り出したり、収納したりするときに、間違って押圧部３７に接触されることで起きる検知スイッチ３６の誤検知を防ぐことができるようになっている。
【００５４】
更に、本発明の引戸のラッチ装置によれば、ガラス扉１４に設けられている係合爪４５がガラス扉１４の外方に突出されておらず、横桟１７の内部に配置されていることで、書庫１００に収納されている物品７を取り出したり、収納したりするときに、物品７や利用者の袖が引っ掛るようなことがなく、物品７をスムーズに出し入れできるようになっている。
【００５５】
また、ロックプレート３８の下方の位置には、ロックプレート３８の回動を係止する係止部４７が、横桟１７に固着されて設けられていて、捻りコイルばね４６によるロックプレート３８の回動が係止部４７により係止されるようになっており、切欠部３５に突入したロックプレート３８の係合爪４５が、検知スイッチ３６の押圧部３７を押圧するときに、必要以上の力で検知スイッチ３６の押圧部３７が押圧されないようにできるため、ラッチ装置を長期間使用しても検知スイッチ３６が破損し難くなっている。
【００５６】
更に、本出願人は特許文献１に示したラッチ装置を開発し、既に特許出願しており、本実施例のラッチ装置の構成によれば、特許文献１に示したラッチ装置のレールの端部に設けられている切欠部という構成を利用して、容易に検知スイッチを設けることができ、従来の什器の製造ラインを大きく変化させる必要がないので、検知スイッチが設けられたラッチ装置の製造コストを抑えることができるようになっている。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、上記実施例では、検知スイッチがガラス扉の閉鎖を検知したときに、検知スイッチから管理コンピュータに信号が送られる構成となっているが、本発明はこれに限定されるものではなく、ガラス扉を開放させるときにおいて、ラッチ装置のロックプレートの係合爪がレールの端部に設けられた切欠部から外れたときに、検知スイッチがガラス扉の開放を検知することで、検知スイッチから管理コンピュータに信号が送られて、什器の制御及び物品の管理が行われるようにしてもよい。
【００５９】
また、管理コンピュータに送られる信号も、ガラス扉が開放または閉鎖されたときに、一時的に信号が流れるようにしてもよいし、ガラス扉が開放中または閉鎖中に持続的に信号が流れるようにしてもよい。
【図面の簡単な説明】
【００６０】
【図１】本発明の実施例におけるラッチ装置が備えられた什器が適用された物品管理システムの構成を示す図である。
【図２】什器における書庫を示す正面図である。
【図３】（ａ）は、ガラス扉が閉鎖されたときの什器の図２におけるＡ―Ａ線の横断面図であり、（ｂ）は、ガラス扉が開放されたときの什器の横断面図である。
【図４】手掛部を示す正面図である。
【図５】図４におけるＢ−Ｂ線の縦断側面図である。
【図６】（ａ）は、ガラス扉を閉じるときのラッチ装置の縦断正面図であり、（ｂ）は、ガラス扉が閉鎖したときの縦断正面図である。
【符号の説明】
【００６１】
１                什器
２                通信ケーブル
３                管理コンピュータ
４                入力端末
５                ＲＦＩＤリーダ／ライタ
６                利用者認証カード
７                物品
８                ＬＡＮケーブル
９                管理アンテナ
１０              什器アンテナ
１１              中継装置
１２、１３、１４  ガラス扉
１５、１６、１７  横桟
１８、１９        手掛部
２０、２１、２２  レール
２３、２４        突起部
２５              中段の棚板
２６              下段の棚板
２７、２８        掛着部
２９、３０        掛着部
３１              把持突起
３２              つまみ
３３              ローラ
３４              側板
３５              切欠部
３６              検知スイッチ
３７              押圧部
３８              ロックプレート（係合部材）
３９              ピン軸
４０              嵌合孔
４１              隠蔽片
４２              長孔
４３              装着部
４４              取付孔
４５              係合爪
４６              捻りコイルばね
４７              係止部
１００            書庫
１０１            上棚収納部
１０２            下棚収納部
１１１            上棚指示ランプ
１１２            下棚指示ランプ
１１５            解錠ランプ
１１６            スピーカ
１１７            施解錠装置
２００            ラテラル
２０１、２０２    引き出し
２０３、２０４    引き出し
【図１】
2005146754.tif 000003
【図２】
2005146754.tif 000004
【図３】
2005146754.tif 000005
【図４】
2005146754.tif 000006
【図５】
2005146754.tif 000007
【図６】
2005146754.tif 000008